(57)【要約】      （修正有）【課題】キッチンカウンター周辺の広範囲で電化製品が使用可能なキッチンユニットを提供する。【解決手段】本発明のキッチンユニットは、天板１０１を有するキッチンカウンターと、前記キッチンカウンターに設けられるコンロ１０２またはシンクの近傍において前記天板上に立設され、パネル本体３と、前記天板上に取り付けられて前記パネル本体の長手方向の端部を支持固定する支持部２Ａと、を備える遮蔽パネルユニット１Ａと、前記遮蔽パネルユニットの前記支持部に設けられ、プラグが差し込まれることにより通電可能な電源部４と、を備え、前記電源部は、前記支持部の前記長手方向の端部に配置されていることを特徴とする。【選択図】図５
2019171120.tif 000002
【特許請求の範囲】
【請求項１】
天板を有するキッチンカウンターと、
前記キッチンカウンターに設けられるコンロまたはシンクの近傍において前記天板上に立設され、パネル本体と、前記天板上に取り付けられて前記パネル本体の長手方向の端部を支持固定する支持部と、を備える遮蔽パネルユニットと、
前記遮蔽パネルユニットの前記支持部に設けられ、プラグが差し込まれることにより通電可能な電源部と、
を備え、
前記電源部は、前記長手方向における前記支持部の端部に配置されていることを特徴とするキッチンユニット。
【請求項２】
前記長手方向における前記支持部の端部にキャップを備え、
前記キャップに前記電源部を配置する貫通孔が形成されている
請求項１に記載のキッチンユニット。
【請求項３】
前記支持部は、前記パネル本体の前記長手方向に沿って配置される長尺部材であり、
前記支持部は、前記パネル本体の前記長手方向の寸法に略等しい長さを有する請求項１または請求項２に記載のキッチンユニット。
【発明の詳細な説明】
【技術分野】
【０００１】
本発明は、キッチンユニットに関する。
【背景技術】
【０００２】
コンロやシンクなどが設けられたキッチンカウンター上で、例えば、ミキサー等の調理用電化製品が使用される場合がある。そのため、調理用電化製品のプラグを差し込み、通電させるための電源部（プラグ受け）が設けられたキッチンユニットが提案されている。特許文献１に記載の厨房装置では、調理台の前端面にコンセント部が設けられている。
【先行技術文献】
【特許文献】
【０００３】
【特許文献１】特開２０１５−１０４５６２号公報
【発明の概要】
【発明が解決しようとする課題】
【０００４】
特許文献１に開示の厨房装置では、厨房装置に向かって調理者が立つ場合の手前側に位置する前端面に、コンセント部が突出し、下方に向かって設けられている。このように、コンセント部がキッチンカウンターの前端面に突出していると、プラグを接続した場合、プラグがキッチンカウンターの前面から突出しコードが前面側に垂れ下がる。その結果、キッチンカウンターの下方に設けられた引出しや棚の扉にコードが挟まる場合があり、調理者の作業動線の妨げとなっていた。
【０００５】
キッチンユニットのレイアウトの例として、キッチンユニットが建物の壁体から離間して床上に立設されるアイランド型キッチンや、キッチンユニットの幅方向の一方の側壁（キッチンユニットに立つ調理者の左右の一方の側壁）が建物の壁体に隣接するペニンシュラ型キッチンと呼ばれる対面式のオープンキッチンがある。オープンキッチンでは、調理者が調理時にキッチンカウンターに向かって立った場合のキッチンカウンターの奥行方向の奥側に間仕切壁が設けられず、キッチンに隣接するダイニングルーム等に開放されている。
【０００６】
このような対面式のオープンキッチンの場合、キッチンスペースとリビングスペースとの一体感が得られるように、コンロやシンク以外のキッチンカウンターの上面を凹凸の少ない平面とする場合が多い。また、キッチンカウンターの平面積を広くして、キッチンカウンターの一部がダイニングテーブルを兼ねる場合がある。
【０００７】
このような対面式のオープンキッチンでは、調理者がキッチンカウンターに向かって立つ位置が一側面側に限られず、キッチンカウンターの四方向あるいは三方向に調理者等が立つことができる。そのため、ダイニングスペース側でも調理用電化製品が使用される場合がある。
【０００８】
このような場合に、特許文献１のようにキッチンカウンターの前面にコンセント部が設けられると、ダイニングスペース側で調理用電化製品が使用される場合に、キッチンカウンター上をコードが横断するため、調理作業の邪魔になる。また、キッチンカウンターの平面積が広い場合、特許文献１のように前面から下方に向かって開口するコンセント部だと、コードの長さが足りずに、ダイニングスペース側で調理用電化製品を使用できない場合があった。また、キッチンカウンターは水を使用するため、カウンター上面に電源部を埋め込んで設けることができない。
【０００９】
上記事情を踏まえ、本発明は、キッチンカウンター周辺の広範囲で電化製品が使用可能なキッチンユニットを提供することを目的とする。
【課題を解決するための手段】
【００１０】
本発明に係るキッチンユニットは、天板を有するキッチンカウンターと、前記キッチンカウンターに設けられるコンロまたはシンクの近傍において前記天板上に立設され、パネル本体と、前記天板上に取り付けられて前記パネル本体の長手方向の端部を支持固定する支持部と、を備える遮蔽パネルユニットと、前記遮蔽パネルユニットの前記支持部に設けられ、プラグが差し込まれることにより通電可能な電源部と、を備え、前記電源部は、前記長手方向における前記支持部の端部に配置されていることを特徴とする。
【００１１】
本発明に係るキッチンユニットでは、前記長手方向における前記支持部の端部にキャップを備え、前記キャップに前記電源部を配置する貫通孔が形成されていてもよい。
【００１２】
本発明に係るキッチンユニットでは、前記支持部は、前記パネル本体の前記長手方向に沿って配置される長尺部材であり、前記支持部は、前記パネル本体の前記長手方向の寸法に略等しい長さを有していてもよい。
【発明の効果】
【００１３】
対面式のオープンキッチンにおいて、キッチンカウンター周辺の広範囲で電化製品が使用可能なキッチンユニットを提供できる。
【図面の簡単な説明】
【００１４】
【図１】本発明の第一実施形態に係るキッチンユニットを示す斜視図である。
【図２】本発明の第一実施形態に係るキッチンユニットの一部を示す斜視図である。
【図３】本発明の第一実施形態に係るキッチンユニットの一部を示す斜視図である。
【図４】本発明の第一実施形態のスクリーンユニットの縦断面図である。
【図５】本発明の第一実施形態のスクリーンユニットの第一変形例を示す斜視図である。
【図６】本発明の第一実施形態のスクリーンユニットの第一変形例を示す断面図である。
【図７】本発明の第一実施形態のスクリーンユニットの第二変形例を示す斜視図である。
【図８】本発明の第一実施形態のスクリーンユニットの第三変形例を示す斜視図である。
【図９】本発明の第一実施形態のスクリーンユニットの第四変形例を示す斜視図である。
【図１０】本発明の第一実施形態のスクリーンユニットの第四変形例の分解斜視図である。
【図１１】本発明の第一実施形態のスクリーンユニットの第五変形例を示す斜視図である。
【図１２】本発明の第一実施形態のスクリーンユニットの第五変形例の分解斜視図である。
【図１３】本発明の第二実施形態に係るキッチンユニットを示す斜視図である。
【図１４】本発明の第二実施形態に係るキッチンユニットの一部を示す斜視図である。
【発明を実施するための形態】
【００１５】
（第一実施形態）
以下、本発明の第一実施形態に係るキッチンユニットについて図面を用いて説明する。図１は本実施形態に係るキッチンユニット１００を示す斜視図である。本実施形態に係るキッチンユニット１００は、居室内のリビングスペースあるいはダイニングスペースとキッチンスペースとの境界部分に設置される。本実施形態に係るキッチンユニット１００は、建物の壁体から離間して配置されるアイランド型キッチン、あるいは、キッチンカウンターの一端のみが建物の壁体に近接配置されるペニンシュラ型キッチン（半島型キッチン）に好適に用いられるキッチンユニット１００である。
【００１６】
リビングスペースやダイニングスペースに向かって配置される対面式のキッチンユニットにおいて、キッチンカウンターの天板よりも高さが高い造作壁や収納キャビネットを配置して、キッチンの天板上を遮蔽する場合がある。これに対し、図１に示すように、キッチンカウンターの端部に、天板よりも高さが高い造作物を備えないキッチンユニットがある。以下の説明において、天板よりも高さが高い造作物を備えないキッチンユニットをオープンキッチンと称する。以下の説明において、キッチンユニット１００が設置される床Ｆに直交する方向を上下方向と称する。
【００１７】
本実施形態に係るキッチンユニット１００は、図１に示すように、キッチンカウンター１１０と、コンロ１０２と、シンク１０３と、スクリーンユニット（遮蔽パネルユニット）１と、電源部４とを備える。
【００１８】
キッチンカウンター１１０は、天板１０１と、天板１０１を支持するキャビネット１０４とを有する。キャビネット１０４は、床Fに立設される直方体形状の構造体である。図示は省略するが、キャビネット１０４には、調理道具を収納する引出しや棚等の収納部、食器洗い乾燥機やオーブン等の電化製品用収納部、ガス管、電気配線、給排水管等を収納する配管収納部等が適宜設けられている。
【００１９】
天板１０１は、平面視略長方形の平板状の部材である。天板１０１は、キャビネット１０４上に載置されて固定されている。図１に示すように、天板１０１の長手方向の寸法はキャビネット１０４の長手方向の寸法と略等しい。天板１０１は、長手方向の二辺１０１ａ，１０１ｂのうちの第一辺１０１ａはキャビネット１０４の側壁近傍に配置され、長手方向の他の一辺である第二辺１０１ｂはキャビネット１０４の側壁から水平方向に突出して配置されている。
【００２０】
天板１０１には、コンロ１０２、シンク１０３、及び水栓１０５（図３参照）が設けられる位置に、それぞれ上下方向に貫通する開口が形成されている。これらの開口に、コンロ１０２、シンク１０３、及びシンク１０３の近傍に設けられた水栓１０５が配設され固定されている。
【００２１】
コンロ１０２及びシンク１０３は、天板１０１の長手方向に並んで離間して設けられている。コンロ１０２及びシンク１０３は、天板１０１の第一辺１０１ａの近傍に配置されている。キッチンユニット１００を使用する使用者は調理時、主に第一辺１０１ａ側に立って作業を行う。天板１０１上のコンロ１０２とシンク１０３との間の作業領域Ｒは作業台として機能する。天板１０１の第二辺１０１ｂ側は、キッチン用の作業台の他、ダイニングスペースまたはリビングスペース側の作業台としても使用可能に構成されている。また、第二辺１０１ｂ側に椅子を配置すればカウンターテーブルとして機能する。
【００２２】
コンロ１０２は、公知のガスコンロまたは電気コンロであり、キャビネット１０４内でガス配管または電気配線に接続され、加熱調理可能に構成されている。
【００２３】
シンク１０３は、公知のシンクであり、不図示の排水口がキャビネット１０４内に設けられた排水管と接続されている。水栓１０５はキャビネット１０４内で給水管と接続されており、シンク１０３内に吐水可能に構成されている。水栓１０５から吐水された水がシンク１０３の排水口を介して排水管に排水される。
【００２４】
図２は、図１のキッチンユニット１００の一部を示す斜視図であり、コンロ１０２とコンロ１０２近傍に設けられたスクリーンユニット１を示す斜視図である。図３は、図１のキッチンユニット１００の一部を示す斜視図であり、シンク１０３とコンロ１０２近傍に設けられたスクリーンユニット１を示す斜視図である。
【００２５】
スクリーンユニット１は、図１から図３に示すように、キッチンカウンター１１０に設けられるコンロ１０２及びシンク１０３の近傍において、天板１０１上に立設されている。スクリーンユニット１は、コンロ１０２の第二辺１０１ｂ側の端部近傍、ならびにシンク１０３の第二辺１０１ｂ側の端部近傍にそれぞれ設けられている。スクリーンユニット１は、コンロ１０２またはシンク１０３と周囲との遮蔽機能を備えるパネルである。コンロ１０２においては調理時の油等の飛散、捕煙、炎の風防等の機能を発揮し、シンク１０３においては、シンク使用時の水の飛散を防ぐ機能を発揮する。
【００２６】
スクリーンユニット１は、フレーム（支持部）２とスクリーン（パネル本体）３と、を備える。フレーム２は、天板１０１上に固定される略矩形の長尺部材である。フレーム２は、パネル本体を支持固定するために設けられている。図４は、本実施形態のスクリーンユニット１のフレーム２近傍の縦断面図である。図４に示すように、フレーム２は、外枠を構成するフレーム本体２１と、スクリーン３を係止する係止部材２２と、を備える。フレーム本体２１と係止部材２２とはフレーム２の長手方向の寸法に略等しい長尺部材である。フレーム本体２１及び係止部材２２は、アルミニウム合金製の型材である。図２及び図３に示すように、フレーム２は、長手方向の両端部に設けられるエンドキャップ（キャップ）５，５をさらに備える。
【００２７】
スクリーンユニット１及び電源部４に関する以下の説明において、フレーム２以外の各種部材についても、スクリーンユニット１に取り付けられた状態において、フレーム２の長手方向に沿う方向を長手方向と称し、長手方向に直交する水平方向を前後方向と称する。前後方向のうち、スクリーンユニット１が天板１０１に取り付けられた状態における天板１０１の第一辺１０１ａ側を前側、第二辺１０１ｂ側を後ろ側と適宜称する。
【００２８】
フレーム本体２１は、天板１０１上に固定される部材である。図４に示すように、フレーム本体２１は、天板１０１に当接する基部２１０と、上下方向に延びる第一側壁２１１及び第二側壁２１２とからなる縦断面形状が略Ｕ字型の部材である。フレーム本体２１は、基部２１０の前後方向の両端部から第一側壁２１１及び第二側壁２１２が上方に立設されており、基部２１０と第一側壁２１１と第二側壁２１２とにより、上方に開口する溝部２１３が形成されている。第二側壁２１２の長手方向の一端部（作業領域Ｒ側の端部）には、電源部４を配置する２つの貫通孔２５，２５が長手方向に並んで形成されている。基部２１０の長手方向の端部であって貫通孔２５，２５の近傍には、上下方向に貫通する配線孔２６が形成されている。
【００２９】
係止部材２２は、フレーム本体２１の溝部２１３内に嵌合される部材である。係止部材２２は、第一当接壁２２１と、第二当接壁２２２と、係止溝２２３と、上カバー部２２４ａ，２２４ｂとを有する。第一当接壁２２１及び第二当接壁２２２は、係止部材２２の下端部に位置し、上下方向に延びる平面を有する。第一当接壁２２１及び第二当接壁２２２は、長手方向に平行に延設されている。第二当接壁２２２の長手方向の端部であって、長手方向の位置が第二側壁２１２の貫通孔２５，２５と等しい位置には、挿通凹部２２７（図４参照）が形成されている。挿通凹部２２７は、後述する電源ボックス４１が通過可能な大きさで第二当接壁２２２（水平方向への延出部を含む）が切り欠かれた凹部である。
【００３０】
第一当接壁２２１及び第二当接壁２２２の上部に係止溝２２３が設けられている。上カバー部２２４ａ，２２４ｂは、係止溝２２３の上端からフレーム２の前後方向に略水平方向に延びて、フレーム本体２１の第一側壁２１１及び第二側壁２１２の上端まで延設されている。上カバー部２２４ａ，２２４ｂは、前後方向の両端部から下方に延びる上係止部２２５，２２６を備える。
【００３１】
図４に示すように、係止溝２２３は、フレーム２の前後方向における中央部よりも第一辺１０１ａ側（前側）にオフセット配置されている。第二側壁２１２と係止溝２２３の外壁との間の隙間Ｓｂは、第一側壁２１１と係止溝２２３の外壁との間の隙間Ｓａより広い。第二側壁２１２と係止溝２２３の外壁との間の隙間Ｓｂは、後述する電源部４の電源収納部４Ｓとなる。
【００３２】
スクリーン３は、ガラス製や、プラスチック製のパネルである。スクリーン３は、透明や半透明とすると、対面式のオープンキッチンにおける解放感を損なわないため、特に好ましい。図４に示すように、スクリーン３の下端部はカバー部材３１で覆われている。カバー部材３１は、縦断面形状が略Ｕ字形状の樹脂製の長尺部材であり、フレーム２の係止部材２２の係止溝２２３内に接触しながら挿入可能な外寸を有する。カバー部材３１には、上方に開口する支持溝３２を備え、支持溝３２内にスクリーン３の下端部が挿入されて密着固定されている。
【００３３】
電源部４は、スクリーンユニット１のフレーム２に設けられている。電源部４は、電源部４は、プラグ差込口４０（図２及び図３参照）と、電気接続機構が収容された電源ボックス４１と、配線４２とを有し、電化製品のプラグが差し込まれることにより通電可能な公知のプラグ受け部である。本実施形態では、２つの電源部４が設けられている。
【００３４】
電源部４は、図２及び図３に示すように、スクリーン３の下方のフレーム２に設けられている。具体的には、電源部４は、スクリーンユニット１のフレーム２におけるコンロ１０２またはシンク１０３側とは反対側の第二辺１０１ｂ側に位置する第二側壁２１２に設けられている。電源部４は、天板１０１の第二辺１０１ｂ側に向かって配設されている。また、各プラグ差込口４０，４０は、下端部が天板１０１よりも上方に位置するように配置されている。この結果、天板１０１上にこぼれた水がプラグ差込口４０に達することを防ぐことができる。なお、図示は省略するが、電源部４の不使用時にプラグ差込口４０を外方から覆うキャップを設けてもよい。
【００３５】
エンドキャップ５，５は、フレーム２の長手方向の両端部の外形状に応じた形状及び寸法を有する略平板状のキャップであり、フレーム２の長手方向の両端部を覆うように配設されてフレーム２に係合される。エンドキャップ５，５は、フレーム２内部に水が浸入しないようにフレーム２の端部を密封する。エンドキャップ５，５は、フレーム２に対して着脱可能に設けられている。したがって、電源部４のメンテナンス時にはエンドキャップ５を外して作業する。
【００３６】
次に、スクリーンユニット１及び電源部４の設置方法について説明する。まず、コンロ１０２またはシンク１０３近傍の第二辺１０１ｂ側の天板１０１上に基部２１０が当接するように、フレーム本体２１を天板１０１上に載置する。溝部２１３内にビスを挿通してフレーム本体２１を天板１０１上に固定する。
【００３７】
次に、電源部４を配置する。電源部４の配線４２を、フレーム２の基部２１０の配線孔２６及び天板１０１の上下方向に貫通する配線孔１０６に挿通し、キャビネット１０４内に設けられている電気配線と通電可能に接続する。プラグ差込口４０をフレーム２内の電源収納部４Ｓに配設し、各プラグ差込口４０を第二側壁２１２の各貫通孔２５，２５に嵌合して固定させる。
【００３８】
次に、係止部材２２をフレーム本体２１の溝部２１３内に配置する。具体的には、第一当接壁２２１及び第二当接壁２２２の各平面をそれぞれフレーム本体２１の第一側壁２１１及び第二側壁２１２の内面へ当接させ、上カバー部２２４ａ，２２４ｂがフレーム本体２１の溝部２１３の上部開口を覆うように配置する。上係止部２２５，２２６が第一当接壁２２１及び第二当接壁２２２の上端部を覆い、第一当接壁２２１及び第二当接壁２２２の上端部にそれぞれ水平に設けられた各支持面２２１ａ、２２２ａに上係止部２２５，２２６の下端が当接する。これにより、係止部材２２がフレーム本体２１に係止される。なお、溝部２１３内に係止部材２２を上方から挿入するとき、挿通凹部２２７が電源ボックス４１に対応する位置となり、電源ボックス４１が挿通凹部２２７内を通るように配置される。
【００３９】
次に、スクリーン３をフレーム２に固定する。係止溝２２３内に接着剤が配設され、スクリーン３のカバー部材３１が係止溝２２３内に挿入されると、係止溝２２３にカバー部材３１が押圧された状態で圧着される。接着剤によりスクリーン３の下端部が係止溝２２３に支持固定される。この結果、フレーム２に挿入されたスクリーン３は、フレーム２から抜けない。以上により、スクリーンユニット１及び電源部４が天板１０１上に設置できる。
【００４０】
本実施形態に係るキッチンユニット１００によれば、コンロ１０２またはシンク１０３の近傍に立設されるスクリーンユニット１に電源部４が設けられるため、電源部４を天板１０１上に設けることができる。この結果、キッチンユニット１００の前面に設けられる引出し等に調理用電化製品のコードが挟まることがなく、調理を行う使用者の作業動線を妨げることがない。また、天板１０１周辺の広範囲で電化製品が使用可能なキッチンユニット１００を提供できる。さらに、スクリーンユニット１に電源部４を設けることにより、電源部４を天板１０１上に独立して突出させて設ける場合に比べて、電源部４が外観上目立たず、外観意匠性にも優れたキッチンユニット１００を提供できる。
【００４１】
本実施形態に係るキッチンユニット１００によれば、スクリーン３を支持するために設けられるフレーム２に電源部４を設けるため、電源部４を天板１０１上に独立して突出させて設ける場合に比べて、電源部４が外観上目立たず、外観意匠性にも優れたキッチンユニット１００を提供できる。また、電源部４が天板１０１の上面よりも高い位置に配置されるため、天板１０１上に水がこぼれてもプラグ差込口４０に水が付着し難い。
【００４２】
本実施形態に係るキッチンユニット１００によれば、スクリーン３の下方に設けられたフレーム２に電源部４が設けられることにより、電源部４が外観上目立たず、外観意匠性に優れたキッチンユニット１００を提供できる。また、電源部４にプラグが接続された場合に、電化製品のコードが天板１０１の近傍に延び、天板１０１上の作業動線を妨げ難い。
【００４３】
本実施形態に係るキッチンユニット１００によれば、スクリーンユニット１のフレーム２におけるコンロ１０２またはシンク１０３側とは反対側の第二側壁２１２（側面）に電源部４が設けられることにより、電源部４が外観上目立たず、外観意匠性に優れたキッチンユニット１００を提供できる。また、電源部４にプラグが接続された場合に、電化製品のコードがスクリーン３よりもコンロ１０２またはシンク１０３側に位置し難く、必然的に電気配線の安全性を確保できる。
【００４４】
本実施形態に係るキッチンユニット１００によれば、特に、対面式のオープンキッチンにおいて、天板１０１周辺の広範囲で電化製品が使用可能なキッチンユニット１００を提供できる。
【００４５】
対面式のオープンキッチンにおいては、建物の壁体から離間し、居室内に独立して立設されるアイランド型のキッチンカウンター１１０や、キッチンカウンターの一辺のみが建物の壁体に隣接して配置されるペニンシュラ型のキッチンカウンターがある。アイランド型ならびにペニンシュラ型のキッチンカウンターの場合、キッチンカウンターの端部に目隠しを目的とした仕切壁が設けられない場合が多い。この発明によれば、このように、スクリーンユニットの一部に電源部を設けると、電源部を外観上、目立たない位置に設けることができる。
【００４６】
電源部４を外観上目立たないように天板１０１上に配設するためには、電源部４はフレーム２に設けられればよい。したがって、フレーム２における電源部４の位置は上記実施形態で示した位置に限定されない。以下に、スクリーンユニットの変形例を示す。以下の説明及び図面において、同一又は類似の部分には同一の符号を付して、重複する説明を省く場合がある。
【００４７】
（第一変形例）
図５は、第一実施形態の第一変形例のスクリーンユニット１Ａを示す斜視図であり、フレーム２Ａの長手方向の一端部を示している。図６は、第一変形例のスクリーンユニット１Ａのフレーム２Ａ近傍の縦断面図である。本変形例のスクリーンユニット１Ａは、フレーム２Ａ及びエンドキャップ（キャップ）５Ａの構成及び電源部４の位置が上記実施形態と異なる例である。本変形例は、電源部４をフレーム２の下部に設けた例である。
【００４８】
図５に示すように、エンドキャップ５Ａは略平板状の部材であり、フレーム２Ａの長手方向の端部に嵌装される部材である。電源部４は、スクリーンユニット１Ａのフレーム２Ａの長手方向の端部に、前後方向に沿って設けられている。具体的には、電源部４が作業領域Ｒ側のエンドキャップ５Ａ（フレーム外側面）に設けられている。エンドキャップ５Ａの下部に電源部４を配置する１つの貫通孔５２Ａが形成されており、貫通孔５２Ａ内に電源部４のプラグ差込口４０が嵌め込まれている。
【００４９】
本変形例では、電源収納部４Ｓをフレーム２Ａの下部に設けている。そのため、図６に示すように、フレーム２Ａは、上記実施形態のフレーム２に比べて、第一側壁２１１Ａ及び第二側壁２１２Ａの高さが高く、前後方向の寸法が短い。係止溝２２３は、フレーム２Ａの前後方向における略中央部に配置されている。電源収納部４Ｓは、フレーム本体２１の溝部２１３内における係止部材２２の下方に設けられている。フレーム本体２１及び係止部材２２のその他の構成は上記実施形態と同様である。
【００５０】
本変形例のスクリーンユニット１Ａ及び電源部４の取付方法を説明する。フレーム本体２１Ａを天板１０１上に固定した後、電源部４を取り付ける。具体的には、配線４２を基部２１０の配線孔２６及び天板１０１の上下方向に貫通する配線孔１０６に挿通し、キャビネット１０４内の電気配線と接続する。電源ボックス４１をフレーム２Ａの長手方向の端部から外側に突出させた状態で天板１０１上に一旦置く。続いて、上記実施形態と同様に、係止部材２２をフレーム本体２１Ａの溝部２１３内に係止させ、スクリーン３を係止溝２２３内に固定する。
【００５１】
次に、エンドキャップ５Ａの貫通孔５２Ａ内にプラグ差込口４０を嵌合させ、電源ボックス４１をフレーム２Ａの電源収納部４Ｓ内に配置し、エンドキャップ５Ａをフレーム２Ａの長手方向の端部に嵌合させる。以上で、スクリーンユニット１Ａ及び電源部４の取付が完了する。
【００５２】
本変形例のスクリーンユニット１Ａ及び電源部４によれば、上記実施形態と同様に、電源部４を外観上目立たないように天板１０１上に配設できる。また、本変形例のスクリーンユニット１Ａ及び電源部４によれば、フレーム２Ｂの作業領域Ｒ側の長手方向の端面に電源部４が配設できる。したがって、リビングスペースまたはダイニングスペース側からは電源部４が見え難く、外観意匠性が高いスクリーンユニット１Ａを提供できる。また、使用者がキッチンカウンターの第一辺１０１ａ側及び第二辺１０１ｂ側のいずれに立つ場合でも、プラグをプラグ差込口４０に挿入しやすい。
【００５３】
（第二変形例）
図７は、第二変形例のスクリーンユニット１Ｂ及び電源部４の一部を示す斜視図である。本変形例のスクリーンユニット１Ｂは、フレーム２Ｂ及びエンドキャップ５Ｂの構成及び電源部４の位置が上記実施形態と異なる例である。本変形例は、電源部４をスクリーン３から突出した位置に設けた例である。
【００５４】
本変形例では、作業領域Ｒ側のエンドキャップ５Ｂに電源収納部４Ｓを設けている。エンドキャップ５Ｂは、中空部を有し、水平方向の一端部が開口する略直方体形状の部材である。中空部内が電源収納部４Ｓとなり、開口する部分がフレーム２Ｂの長手方向の端部を覆うキャップ部５１となる。エンドキャップ５Ｂの上面部には、上下方向に貫通する貫通孔５２が形成され、貫通孔５２内にプラグ差込口４０が嵌合される。したがって、プラグ差込口４０はスクリーン３よりも長手方向の外側に位置し、上方に向かって配置される。電源部４の配線４２はフレーム２Ｂ内に挿入され、基部２１０の配線孔２６及び天板１０１の配線孔１０６に挿通され、キャビネット１０４内の電気配線と接続に接続される。この状態でエンドキャップ５Ｂがフレーム２Ｂの長手方向の端部に係合される。
【００５５】
本変形例のスクリーンユニット１Ｂ及び電源部４によれば、上記実施形態と同様に、電源部４を外観上目立たないように天板１０１上に配設できる。また、本変形例のスクリーンユニット１Ｂ及び電源部４によれば、プラグ差込口４０がフレーム２Ｂの上部に上方に向かうように設けられるため、使用者がキッチンカウンターの第一辺１０１ａ側及び第二辺１０１ｂ側のいずれに立つ場合でも、プラグをプラグ差込口４０に挿入しやすい。
【００５６】
（第三変形例）
図８は、第三変形例のスクリーンユニット１Ｃ及び電源部４の一部を示す斜視図である。本変形例は、第二変形例と同様にエンドキャップ５Ｃに電源収納部４Ｓが設けられる例であり、プラグ差込口４０の位置が第二変形例と異なる。フレーム２Ｂは第二変形例と同様の構成である。エンドキャップ５Ｃにおけるスクリーン３の厚さ方向と略平行な長手方向の端面５５（フレーム外側面）には、長手方向に貫通する貫通孔５２が形成され、プラグ差込口４０が嵌合されている。図８に示すように、プラグ差込口４０をフレーム２Ｂの長手方向に沿って側方に向けて配置してもよい。本変形例のスクリーンユニット１Ｃ及び電源部４によれば、上記実施形態と同様に、電源部４を外観上目立たないように天板１０１上に配設できる。また、本変形例のキッチンユニットによれば、プラグ差込口４０がフレーム２Ｂの側方に上方に向かうように設けられるため、使用者がキッチンカウンターの第一辺１０１ａ側及び第二辺１０１ｂ側のいずれに立つ場合でも、プラグをプラグ差込口４０に挿入しやすい。
【００５７】
（第四変形例）
図９は、第四変形例のスクリーンユニット１Ｄ及び電源部４の一部を示す斜視図である。図１０は、第四変形例のスクリーンユニット１Ｄ及び電源部４の分解斜視図である。スクリーンユニット１Ｄは、フレーム２Ｄのフレーム本体２１Ｄが、スクリーン３の長手方向の寸法よりも長く、スクリーン３より突出している部分に電源部４が設けられる例である。
【００５８】
フレーム本体２１Ｄは、スクリーン３よりも長手方向の長さが長い。係止部材２２は、スクリーン３の長手方向の寸法と略等しいため、フレーム本体２１Ｄは係止部材２２の長手方向の端部よりも長く延出している。この結果、フレーム本体２１Ｄの長手方向の端部には、溝部２１３内に係止部材２２が配置されないスペースが形成される。このスペースが電源収納部４Ｓとして機能する。フレーム本体２１Ｄの長手方向への突出部分の第二側壁２１２に貫通孔２５が形成され、貫通孔２５内にプラグ差込口４０が嵌合される。したがって、プラグ差込口４０が天板１０１の第二辺１０１ｂ側に向かって配設される。
【００５９】
フレーム本体２１Ｄの長手方向の端部には、上記実施形態と同じエンドキャップ５が設けられる。スクリーン３の長手方向の端部とエンドキャップ５との間であってフレーム本体２１Ｄの上方には、略平板状の上蓋６が設けられる。上蓋６は、下面側の前後方向の両端部に係止凹部６１，６１が平行に形成されている。フレーム本体２１Ｄの長手方向の端部の上端２８，２８には、段部２９，２９が形成されており、上蓋６の係止凹部６１，６１内に上端２８，２８が進入し、段部２９，２９にフレーム本体２１の下端部が当接し、上蓋６により溝部２１３が覆われる。上蓋６は、フレーム本体２１Ｄに着脱自在に取り付けられる。
【００６０】
本変形例のスクリーンユニット１Ｄ及び電源部４によれば、上記実施形態と同様に、電源部４を外観上目立たないように天板１０１上に配設できる。また、電源部４は、フレーム２Ｄにおけるスクリーン３の支持構造と干渉しない位置に設けられるため、電源部４の取付が容易である。また、上蓋６を外せば電源部４のメンテナンスが容易に行える。
【００６１】
（第五変形例）
図１１は、第五変形例のスクリーンユニット１Ｅ及び電源部４の一部を示す斜視図である。図１２は、第五変形例のスクリーンユニット１Ｅ及び電源部４の分解斜視図である。本変形例のスクリーンユニット１Ｅは、プラグ差込口４０の位置及び上蓋６Ｅの構成が第四変形例と異なる例である。フレーム本体２１Ｅは第四変形例と同じ構成である。スクリーン３の長手方向の寸法よりも長く、スクリーン３より作業領域Ｒ側に突出している部分に電源部４が設けられる例である。
【００６２】
上蓋６Ｅの上面に上下方向に貫通する貫通孔６２が形成されている。この貫通孔６２にプラグ差込口４０が嵌合される。したがって、プラグ差込口４０は上方に向かって配置される。フレーム本体２１の溝部２１３内に、支持台４５が設けられている。電源ボックス４１が支持台４５上に配置され、配線４２が支持台４５の貫通孔４５１、基部２１０の配線孔２６及び天板１０１の配線孔１０６に挿通されてキャビネット１０４内の電気配線と接続されている。上記実施形態と同じエンドキャップ５によりフレーム本体２１のＥの長手方向の端部が覆われている。
【００６３】
本変形例のスクリーンユニット１Ｅ及び電源部４によれば、上記実施形態と同様に、電源部４を外観上目立たないように天板１０１上に配設できる。また、電源部４は、フレーム２Ｄにおけるスクリーン３の支持構造と干渉しない位置に設けられるため、電源部４の取付が容易である。また、上蓋６を外せば電源部４のメンテナンスが容易に行える。
【００６４】
上記各実施形態のスクリーンユニットは、天板１０１上に水平方向に長尺なフレーム２を設けた例を示したが、スクリーンユニット１のフレーム２はこの構成に限定されず、天板１０１上にてスクリーン３を立設支持可能な構成であればよい。例えば、長尺部材からなり、長手方向にスクリーン３を挟む溝が形成された２本のフレームを、溝同士が対向するように離間して上下方向に延びるように天板１０１上に立設し、２本のフレームの各溝にスクリーン３を挿入して２本のフレームでスクリーン本体を支持する構成であってもよい。このような各種構成のフレームであっても、フレームの内部に電源ボックス４１を配置し、プラグ差込口４０をフレームに固定する構成であればよい。
【００６５】
（第二実施形態）
第二実施形態に係るキッチンユニット１００Ｆについて図１３及び図１４を用いて説明する。図１３は、本実施形態に係るキッチンユニット１００Ｆを示す斜視図である。図１４は、本実施形態に係るキッチンユニット１００Ｆの一部を示す斜視図である。なお、以下の説明において、上記の第一実施形態と同様の構成には第一実施形態と同一の符号を付し、重複する説明を省略する。
【００６６】
図１３に示すように、本実施形態に係るキッチンユニット１００Ｆは、スクリーンユニット１Ｆの構成が第一実施形態と異なる。
【００６７】
スクリーンユニット１Ｆは、スクリーン３Ｆが第一実施形態より大きい。すなわち、スクリーン３Ｆが天板１０１から、コンロ１０２の上方に設けられたレンジフード１０７の下端近傍まで設けられている。また、スクリーンユニット１Ｆは、スクリーン３Ｆの四周がフレームで囲まれて支持される構成である。
【００６８】
フレーム２Ｆは、下フレーム７１（横フレーム）と、上フレーム７２（横フレーム）と、一対の縦フレーム７３，７４とを備える。下フレーム７１は、天板上に固定され、スクリーン３Ｆの下縁部（横縁部）を支持する。下フレーム７１の構成は第一実施形態のフレーム本体２１及び係止部材２２と同じ構成である。
【００６９】
上フレーム７２は、レンジフード１０７の後側の下端部に固定され、スクリーン３Ｆの上縁部（横縁部）を挟持してスクリーン３Ｆを支持している。上フレーム７２におけるスクリーン３Ｆを挟持する部分の構成は、第一実施形態のフレーム本体２１及び係止部材２２の構成と同様である。上フレーム７２の上端面に、レンジフード１０７の後側の下端部に固定される固定部（不図示）が設けられている。
【００７０】
一対の縦フレーム７３，７４は、長尺部材からなり、長手方向にスクリーン３Ｆを挟む溝が形成されている水平断面形状が略Ｕ字型の部材である。一対の縦フレーム７３，７４は、溝同士が対向するように離間して上下方向に延びるように天板１０１上に立設されている。縦フレーム７３，７４の溝の上端部及び下端部には、フレーム収容部が設けられている。フレーム収容部内に、下フレーム７１及び上フレーム７２の長手方向両端部を収容される。縦フレーム７３，７４の各溝にスクリーン３Ｆの長手方向（幅方向）の端部（縦縁部）を挿入して一対の縦フレーム７３，７４でスクリーン３Ｆを支持する構成である。
【００７１】
一対の縦フレーム７３，７４のうち、天板１０１上の作業領域Ｒ側に設けられる縦フレーム７３におけるスクリーン３Ｆの厚さ方向と略平行な外側面７３１（フレーム外側面）の下部に貫通孔２５Ｆが形成されている。
【００７２】
電源部４は、スクリーンユニット１Ｆの縦フレーム７３に設けられている。具体的には、作業領域Ｒ側に設けられている縦フレーム７３に設けられている。電源部４は、縦フレーム７３の貫通孔２５Ｆにプラグ差込口４０が設けられている。プラグ差込口４０は、スクリーン３Ｆの厚さ方向と略平行な外側面７３１に沿って設けられている。電源部４は、下フレーム７１の上端よりも高い位置に配置されている。
【００７３】
本実施形態に係るキッチンユニット１００Ｆによれば、上フレーム７２及び下フレーム７１と縦フレーム７３，７４とを備えるフレームの縦フレーム７３に電源部４が設けられるため、天板１０１から上方に離間した位置に電源部４を設けることができる。つまり、電源部４が縦フレーム７３に設けられているため、第一実施形態の電源部４よりも高い位置に電源部を設けることができる。この結果、天板１０１上に液体や粉体等が電源部４に掛かることを防ぐことができる。
【００７４】
本実施形態に係るキッチンユニット１００Ｆによれば、縦フレーム７３におけるスクリーン３Ｆの厚さ方向と略平行な外側面７３１に電源部４が設けられるため、リビングスペースまたはダイニングスペース側からは電源部４が見え難く、外観意匠性が高いスクリーンユニット１Ｆを提供できる。また、使用者がキッチンカウンター１１０の第一辺１０１ａ側及び第二辺１０１ｂ側のいずれに立つ場合でも、プラグをプラグ差込口４０に挿入しやすい。
【００７５】
上記実施形態では、キッチンユニット１００，１００Ｆにコンロ１０２及びシンク１０３を両方備える例を示したが、本発明に係るキッチンユニットはこれに限定されず、コンロまたはシンクのいずれか一方が設けられ、その近傍にスクリーンユニット１が設けられる構成であってもよい。また、上記実施形態では、電源部４を作業領域Ｒ側に設けた例を示したが、作業領域Ｒ側に限定されない。
【００７６】
上記実施形態及び変形例では、フレームの長手方向の一端部に電源部を設ける例を示したが、フレームの長手方向の両端部にそれぞれ電源部を設けてもよい。また、上記実施形態及び変形例には電源部を１つまたは２つ設けた例を示したが、電源部の数はこれに限定されない。
【００７７】
上記実施形態では、平面視略長方形の天板１０１及びキャビネット１０４を備えるキッチンユニット１００の例を示したが、天板１０１及びキャビネット１０４の形状はこれに限定されない。例えば、平面視略正方形の天板及びこの天板を支持するキャビネットや、天板の周縁部の一部に円弧部を備える天板であってもよい。天板が長方形ではない場合、上述の説明における長手方向は、スクリーンユニットの長手方向を基準に設定される。
【００７８】
以上、本発明の実施形態について図面を参照して詳述したが、具体的な構成はこの実施形態に限られるものではなく、本発明の要旨を逸脱しない範囲の設計変更等も含まれる。また、上述の実施形態及び各変形例において示した構成要素は適宜に組み合わせて構成することが可能である。
【符号の説明】
【００７９】
１，１Ｆ  スクリーンユニット（遮蔽パネルユニット）
２，２Ａ，２Ｂ，２Ｄ，２Ｆ  フレーム（支持部）
３，３Ｆ  スクリーン（パネル本体）
４  電源部
５Ａ  エンドキャップ（フレーム外側面、キャップ）
５５  端面（フレーム外側面）
７１  下フレーム（横フレーム、支持部）
７２  上フレーム（横フレーム）
７３，７４  縦フレーム
１０１  天板
１０２  コンロ
１０３  シンク
１００  キッチンユニット
７３１  外側面（フレーム外側面）
【図１】
2019171120.tif 000003
【図２】
2019171120.tif 000004
【図３】
2019171120.tif 000005
【図４】
2019171120.tif 000006
【図５】
2019171120.tif 000007
【図６】
2019171120.tif 000008
【図７】
2019171120.tif 000009
【図８】
2019171120.tif 000010
【図９】
2019171120.tif 000011
【図１０】
2019171120.tif 000012
【図１１】
2019171120.tif 000013
【図１２】
2019171120.tif 000014
【図１３】
2019171120.tif 000015
【図１４】
2019171120.tif 000016